(57)【要約】【課題】仏壇の前面に掴まり立ちし得る手摺装置を設けて、仏壇前部に座っていた人が手摺装置を利用して掴まり立ちできるようにする。【解決手段】仏壇前面１ａにおける仏壇前部に座った人の手が届く高さ位置に、仏壇の奥行き方向に向けて設置したガイド部材２１と該ガイド部材２１に対して前後にスライドでき且つ前端部に人の手で把持し得る持ち手２７を設けたスライド部材２５とを有した手摺装置２を設け、手摺装置２は、持ち手２７が仏壇前面１ａに沿う後退位置と仏壇前部に座った人が手で把持し得る突出位置との間で出没するようにスライド部材２５を前後にスライドさせ得るとともに、スライド部材２５を前方側にスライドさせた状態では、仏壇前部に座った人の手で突出位置にある持ち手２７を下方に押さえ得るように構成していることにより、仏壇自体の一部（手摺装置２）を利用して掴まり立ちができるようにした。【選択図】  図２
2016209053.tif 000002
【特許請求の範囲】
【請求項１】
仏壇前面（１ａ）における仏壇前部に座った人の手が届く高さ位置に、仏壇の奥行き方向に向けて設置したガイド部材（２１）と該ガイド部材（２１）に対して前後にスライドでき且つ前端部に人の手で把持し得る持ち手（２７）を設けたスライド部材（２５）とを有した手摺装置（２）を設け、
上記手摺装置（２）は、上記持ち手（２７）が仏壇前面（１ａ）に沿う後退位置と仏壇前部に座った人が手で把持し得る突出位置との間で出没するように上記スライド部材（２５）を前後にスライドさせ得るとともに、
上記スライド部材（２５）を前方側にスライドさせた状態では、仏壇前部に座った人の手で上記突出位置にある上記持ち手（２７）を下方に押さえ得るように構成している、
ことを特徴とする立ち上がり用手摺付き仏壇。
【請求項２】
請求項１において、
上記手摺装置（２）に、上記持ち手（２７）が仏壇前面（１ａ）から所定小長さ（Ｌ）だけ突出した状態で上記スライド部材（２５）の前方へのスライドを禁止するストッパー手段（４）を設けている、
ことを特徴とする立ち上がり用手摺付き仏壇。
【請求項３】
請求項１又は２において、
上記ガイド部材（２１）と上記スライド部材（２５）との間に、上記持ち手（２７）の前面を１回押すごとに該持ち手（２７）が仏壇前面（１ａ）に沿う後退位置と該仏壇前面（１ａ）から前方に僅かに突出する掴み可能位置との間で変位させ得る出没変位手段（５）を設けている、
ことを特徴とする立ち上がり用手摺付き仏壇。
【請求項４】
請求項１から３のいずれか１項において、
上記手摺装置（２）を仏壇前面（１ａ）における左右に離間した２箇所に設けている、
ことを特徴とする立ち上がり用手摺付き仏壇。
【発明の詳細な説明】
【技術分野】
【０００１】
本願発明は、仏壇前部に座った人が立上がるときに使用する手摺を用いた立ち上がり用手摺付き仏壇に関するものである。
【背景技術】
【０００２】
家庭において仏壇の前に座った状態から立ち上がろうとするときに、特に老齢者の中には何かに掴まり立ちしなければ立ち上がり動作が難しい人がいる。即ち、老齢者の中には足が健常でない人が多々おり、そのような足が健常でない人が仏壇前部に座った状態から立上がる際には、仏壇前部（座った位置）の近辺に掴まり立ちできる物がないと、床面に手をついて（四つん這いになって）立上がろうとするしかなく、従って、立上がるまでに時間がかかるとともに、その立ち上がり動作に苦労しているのが現状である。
【０００３】
尚、仏壇の前に供机（経机ともいう）のような台がある場合には、その供机を手で押さえながら立ち上がろうとすることがあるが、供机は大重量を支え得る設計になっていないので、体重をかけると壊れるおそれがあるとともに、供机の片隅を強く押さえたときには、該供机がひっくり返ることがあるので、危険を伴うものであった。
【発明の概要】
【発明が解決しようとする課題】
【０００４】
そこで、本願発明は、上記事情に鑑み、仏壇前部に座っていた人が立ち上がる際に、仏壇自体の一部を利用して掴まり立ちができるようにすることにより、足が健常でない人でも立ち上がり動作が楽に行えるようにするとともに、そのように掴まり立ちし得る部材の非使用時にはその部材が仏壇の美観を損ねないようにした立ち上がり用手摺付き仏壇を提供することを目的としている。
【課題を解決するための手段】
【０００５】
本願発明は、上記課題を解決するための手段として次の構成を有している。尚、本願発明は、仏壇自体の一部に掴まり立ちができる手摺を設けた立ち上がり用手摺付き仏壇を対象としたものであるが、以下の説明では、本願発明を単に手摺付き仏壇と表現することがある。
【０００６】
［本願請求項１の発明］
本願請求項１の発明の手摺付き仏壇（立ち上がり用手摺付き仏壇）では、仏壇前面における仏壇前部に座った人の手が届く高さ位置に手摺装置を設けている。尚、この手摺装置の設置高さは、特に限定するものではないが床面から４０〜６０cm程度の高さ位置が好ましい。
【０００７】
この手摺装置は、仏壇の奥行き方向に向けて設置したガイド部材と該ガイド部材に対して前後にスライドでき且つ前端部に人の手で把持し得る持ち手を設けたスライド部材とを有したものである。
【０００８】
又、上記手摺装置は、上記持ち手が仏壇前面に沿う後退位置と仏壇前部に座った人が手で把持し得る突出位置との間で出没するように上記スライド部材を前後にスライドさせ得るようにしている。尚、持ち手の後退位置では、該持ち手の前面が仏壇前面と前後同じ位置となり、持ち手の突出位置では、該持ち手の全体が仏壇前面より所定長さだけ前方に突出した位置となる。
【０００９】
そして、スライド部材を前方側にスライドさせた状態では、仏壇前部に座った人の手で上記突出位置にある持ち手を下方に押さえ得るように構成している。
【００１０】
この請求項１の手摺付き仏壇は、次の機能を有している。
【００１１】
まず、手摺装置のスライド部材を後方（内方）に押し込んだ状態では、該スライド部材の持ち手の前面が仏壇前面とほぼ同一面となるので、該持ち手が外部からさほど目立たないし、邪魔にならない。
【００１２】
他方、手摺装置のスライド部材を前方（外方）に引き出した状態では、持ち手が仏壇前面より所定長さだけ前方（外方）に位置していて、仏壇前部に座っている人の手が該持ち手に届くようになっている。そして、仏壇前部に座っている人が立ち上がり動作をするときには、前方（外方）に引き出した持ち手に手を掛けて下方に押さえると、体重の一部を手（腕）で負担できるので、立ち上がり動作時の足の負担を軽減できる。
【００１３】
［本願請求項２の発明］
本願請求項２の発明は、上記請求項１の手摺付き仏壇において、手摺装置に、持ち手が仏壇前面から所定小長さだけ突出した状態でスライド部材の前方へのスライドを禁止するストッパー手段を設けたものである。
【００１４】
この請求項２の手摺付き仏壇では、スライド部材がストッパー手段によりガイド部材に対して一定の長さ範囲（例えば７〜８cm程度）しかスライドできないので、スライド部材（持ち手）が必要長さ以上（過剰長さ）前方突出することがない。尚、スライド部材の持ち手が過剰に（例えば３０cm以上）前方突出すると、該持ち手を押さえたときの転倒モーメント（仏壇が手前側に倒れるモーメント）が大きくなるので好ましくない。
【００１５】
［本願請求項３の発明］
本願請求項３の発明は、上記請求項１又は２の手摺付き仏壇において、ガイド部材とスライド部材との間に、持ち手の前面を１回押すごとに該持ち手が仏壇前面に沿う後退位置（格納位置）と該仏壇前面から前方に僅かに突出する掴み可能位置（僅突出位置）との間で変位させ得る出没変位手段を設けたものである。
【００１６】
この種の出没変位手段としては、一般的にマグネットキャッチが多用されているが、このマグネットキャッチの使用例では、持ち手の前面を１回押すごとに該持ち手を上記後退位置と上記僅突出位置とに変位させ得る機能を有している。
【００１７】
そして、持ち手を後退位置に押し込んだ状態では、出没変位手段（例えばマグネットキャッチ）により持ち手が仏壇前面に沿う位置（格納位置）に維持される一方、その状態から持ち手の前面を押すと出没変位手段により持ち手が上記掴み可能位置（僅突出位置）に押し出されるようになる。
【００１８】
［本願請求項４の発明］
本願請求項４の発明は、上記請求項１〜３いずれか１項の手摺付き仏壇において、手摺装置を仏壇前面における左右に離間した２箇所に設けたものである。尚、両手摺装置の左右間隔は、定位置から左右の各手がそれぞれの持ち手に無理なく届く程度の、例えば４０〜５０cm間隔が適当である。
【００１９】
この請求項４の発明のように、手摺装置を左右２箇所に設けると、仏壇前部に座っている人が左右の各手（両手）でそれぞれの持ち手を押さえることができる。
【発明の効果】
【００２０】
［本願請求項１の発明の効果］
本願請求項１の発明の手摺付き仏壇は、仏壇前面に出没式のスライド部材を有した手摺装置を設け、スライド部材を前方側にスライドさせた状態では、仏壇前部に座った人の手で前方突出位置にある持ち手を下方に押さえ得るように構成している。
【００２１】
従って、本願請求項１の手摺付き仏壇では、仏壇前部に座っている人が手摺装置の持ち手を手で把持して掴まり立ちをすることができるので、足が健常でない人でも立ち上がり動作をするときに大いに役立つ（足の負担を軽減できる）という効果がある。
【００２２】
又、本願請求項１の手摺付き仏壇では、手摺装置の非使用時に持ち手を仏壇前面に沿う後退位置に維持させておくことができるので、手摺装置を掴まり立ち動作に利用できるようにしたものであっても、手摺装置の非使用時には持ち手が外部からさほど目立たない（仏壇の美観を損ねない）とともに邪魔にならないという効果もある。
【００２３】
［本願請求項２の発明の効果］
本願請求項２の発明は、上記請求項１の手摺付き仏壇において、手摺装置に、持ち手が仏壇前面から所定小長さだけ突出した状態でスライド部材の前方へのスライドを禁止するストッパー手段を設けたものである。
【００２４】
従って、この請求項２の手摺付き仏壇では、スライド部材（持ち手）がストッパー手段により必要長さ以上（過剰長さ）前方突出することがない（持ち手を押さえたときの転倒モーメントが大きくならない）ので、上記請求項１の効果に加えて、持ち手を掴まり立ち部材として利用しても仏壇が前面側に転倒する危険を防止できるという効果がある。
【００２５】
［本願請求項３の発明の効果］
本願請求項３の発明は、上記請求項１又は２の手摺付き仏壇において、ガイド部材とスライド部材との間に、持ち手の前面を１回押すごとに該持ち手が仏壇前面に沿う後退位置（格納位置）と該仏壇前面から前方に僅かに突出する掴み可能位置（僅突出位置）との間で変位させ得る出没変位手段（例えばマグネットキャッチ）を設けたものである。
【００２６】
この請求項３の手摺付き仏壇では、持ち手の前面を１回押すごとに持ち手を上記２位置（後退位置と掴み可能位置）の間で変位させ得るようになっているので、上記請求項１〜２の効果に加えて、持ち手の前面を押すという簡単な操作で該持ち手を上記後退位置（格納位置）と上記掴み可能位置（僅突出位置）とに変位させ得るという効果がある。尚、持ち手が上記掴み可能位置（僅突出位置）にあると、スライド部材を引き出すときに持ち手が掴み易くなる。
【００２７】
［本願請求項４の発明の効果］
本願請求項４の発明は、上記請求項１〜３いずれか１項の手摺付き仏壇において、手摺装置を仏壇前面における左右に離間した２箇所に設けたものである。
【００２８】
このように、手摺装置を左右２箇所に設けていると、仏壇前部に座っている人が手摺装置を利用して掴まり立ちする際に、左右の各手（両手）でそれぞれの持ち手を押さえることができる。
【００２９】
従って、この請求項４の手摺付き仏壇では、上記請求項１〜３の効果に加えて、仏壇前部に座っている人が立ち上がり時に、左右の各手（両手）で各持ち手を押さえることができるので、バランスが良好な安定姿勢で且つ両手の力で掴まり立ち動作が行えるという効果がある。
【図面の簡単な説明】
【００３０】
【図１】本願第１実施例の立ち上がり用手摺付き仏壇の正面図である。
【図２】図１のII−II矢視相当図である。
【図３】図１のIII−III拡大断面図である。
【図４】図３のIV−IV断面図である。
【図５】図３の状態からスライド部材を前方に引き出した状態の変化図である。
【図６】本願第２実施例の立ち上がり用手摺付き仏壇の正面図である。
【発明を実施するための形態】
【００３１】
以下、図１〜図６を参照して本願実施例の立ち上がり用手摺付き仏壇を説明すると、図１〜図５には本願請求項１〜３が対応する第１実施例を示し、図６には本願請求項４が対応する第２実施例を示している。尚、以下の説明でも、本願の「立ち上がり用手摺付き仏壇」を単に「手摺付き仏壇」と表現することがある。
【００３２】
［図１〜図５の第１実施例］
図１及び図２に示す第１実施例の手摺付き仏壇は、上部側の仏壇本体１１と下部側の基台箱１２とを有し、該基台箱１２の上に仏壇本体１１を載置して仏壇１を構成している。尚、図１及び図２の状態では、仏壇本体１１の各扉１１ａ，１１ａ、及び基台箱１２の各扉１２ａ，１２ａはそれぞれ開放している。
【００３３】
図１及び図２に示す仏壇１は、仏壇本体１１と基台箱１２との合計高さが１３１cm、閉扉状態での幅が４８cm、奥行きが４５cm程度の大きさのものを採用している。又、基台箱１２の高さは、約５２cmである。尚、この仏壇１の大きさ・形状等は特に限定するものではなく、さらに他の実施例では、仏壇１として全高さを一体型にしたもの（仏壇本体と基台箱とを分離していないもの）も適用可能である。
【００３４】
仏壇本体１１内には宗派の本尊や各種の仏具が陳列され、基台箱１２内には適宜の仏具（及びその他の物品）が収容される。
【００３５】
この第１実施例（図１〜図５）の仏壇１には、下部側の基台箱１２における右・上角部付近の１箇所に、仏壇前部に座っている人Ｍ（図２）が掴まり立ちするための手摺装置２が設けられている。
【００３６】
この手摺装置２は、図３〜図５に拡大図示するように、四角筒状のガイド部材２１と該ガイド部材２１内にスライド自在に挿通されたスライド部材２５とを有している。尚、この実施例では、ガイド部材２１とスライド部材２５とはそれぞれ木材製であるが、他の材料製（例えばプラスチック製あるいは金属製）のものであってもよい。
【００３７】
ガイド部材２１は、図４に示すように、上板２１ａと下板２１ｂと左右の各側板２１ｃ，２１ｄとで断面四角筒状に合体させたものであって、図３に示すように基台箱１２内の奥行き長さとほぼ同長さ（例えば４０〜４２cm）を有している。尚、このガイド部材２１の中心部には、スライド部材２５の角棒材２６（後述する）を挿通させるための四角形の長穴がガイド部材２１の全長に亘って形成されている。
【００３８】
そして、このガイド部材２１は、基台箱１２における上面板１３と右側の側面板１４との接合角部の内面に仏壇（基台箱１２）の奥行き方向に向けて固定している。
【００３９】
ガイド部材２１の下面には、側面板１４の内面に当接状態で設置した支え側板１５（図４）と、ガイド部材２１の前部寄りを支持する支え前板１６（図３）とが設置されていて、後述するようにスライド部材２５の持ち手２７を下方に押すことによる下向きの応力を下方から支持し得るようにしている。
【００４０】
スライド部材２５は、ガイド部材２１の長穴内に挿通される長尺の角棒部２６の前端部に人の手を載せ掛ける持ち手２７を取付けたものである。
【００４１】
角棒部２６は、ガイド部材２１の長穴内に過不足なく挿通される断面四角形のもので、ガイド部材２１の全長よりやや短い長さを有している。
【００４２】
持ち手２７は、人の手Ｈ（図２、図５）を載せ掛けるもので、正面視略四角形の板材が使用されている。この持ち手２７の形状を正面視略四角形としたのは、他の部分（基台箱１２の扉１２ａ）との取り合いをし易くするためのもので、持ち手２７を正面視略四角形にしていると、扉１２ａの閉扉状態で持ち手２７に対応する扉部分に四角形状の切欠１２ｂを形成すればよい（加工がし易い）。尚、この持ち手２７の形状は、持ち易さの観点から正面視で円形や楕円形に形成してもよい。
【００４３】
そして、このスライド部材２５は、その角棒部２６を後端側からガイド部材２１の長穴内に挿入してセットされていて、前端部の持ち手２７を把持して前方に引き出したり後方に押し込んだりすることで、スライド部材２５をガイド部材２１に対して前後にスライドさせ得るように組付けている。尚、持ち手２７の取付け高さは、図２に示すように仏壇前部に座った人Ｍの肩の高さとほぼ同高さかそれよりやや低い位置（例えば床面から５０cm程度の高さ位置）となる。
【００４４】
この第１実施例の手摺装置２には、図５に示すように、持ち手２７が仏壇前面１ａから所定小長さＬ（Ｌ＝７〜８cm程度が適当）だけ突出した状態でスライド部材２５の前方へのスライドを禁止するストッパー手段４を設けている。
【００４５】
この実施例で採用しているストッパー手段４は、スライド部材２５の角棒部２６の上面に所定長さの長溝４１を形成している一方、ガイド部材２１の上板２１ａの下面に長溝４１内に係入する下向きの突起４２を形成して構成されている。
【００４６】
そして、このストッパー手段４は、スライド部材２５をガイド部材２１に対して図３に示す格納位置まで押し込んだ状態ではガイド部材２１側の突起４２がスライド部材２５側の長溝４１に対して非係止状態であるが、この格納位置からスライド部材２５を前方に引き出すと、図５に示すように長溝４１の奥端部４１ａが突起４２に衝合し、その時点でスライド部材２５の前方へのスライドを禁止するようになっている。つまり、スライド部材２５は、ストッパー手段４で規制された長さＬ（例えば７〜８cm程度）を超えて前方に引き出すことができないので、図５に示すように手Ｈで持ち手２７を持って強く下方に押さえたときの転倒モーメント（仏壇が手前側に倒れるモーメント）が許容範囲内に収まる。尚、スライド部材２５の持ち手２７が過剰に（例えば３０cm以上）前方突出すると、該持ち手２７を押さえたときの転倒モーメントが大きくなって、仏壇１が前方側に転倒する恐れが生じる。
【００４７】
又、この第１実施例の手摺装置２には、ガイド部材２１とスライド部材２５との間に、図３に矢印Ｐで示すように持ち手２７の前面を１回押すごとに該持ち手２７が仏壇前面１ａに沿う後退位置（符号２７の格納位置）と仏壇前面１ａから前方に僅かに突出する掴み可能位置（図３に鎖線図示する符号２７′の僅突出位置）との間で変位させ得る出没変位手段５を設けている。
【００４８】
この実施例では、上記出没変位手段５として、図３に示すようにマグネットキャッチ５１を採用している。そして、このマグネットキャッチ５１は、ガイド部材２１の長穴の奥端部付近に取付けていて、スライド部材２５を格納位置（図３の実線図示位置）まで押し込んだ状態で持ち手２７の前面を１回押す（矢印Ｐ）ごとに、角棒部２６の後端部（鉄板５２が取付けられいる）でマグネットキャッチ５１のヨークを出没させて、持ち手２７を上記後退位置（符号２７の格納位置）と上記掴み可能位置（符号２７′の僅突出位置）とに変位させ得るようになっている。
【００４９】
図１〜図５に示す第１実施例の手摺付き仏壇は、次のような機能を有する。
【００５０】
まず、図５に示すように手摺装置２のスライド部材２５を前方側にスライドさせた状態（持ち手２７が前方突出位置にある）では、仏壇前部に座った人Ｍ（図２）の手Ｈで持ち手２７を掴んで該持ち手２７を下方に押さえることができる。
【００５１】
従って、仏壇前部に座っている人Ｍが立ち上がる際に、前方突出位置にある持ち手２７を手Ｈで押さえることで掴まり立ちをすることができるので、足が健常でない人でも立ち上がり動作をするときに手摺装置２が大いに役立つ（足の負担を軽減できる）という機能がある。
【００５２】
又、手摺装置２の非使用時には、持ち手２７を仏壇前面１ａに沿う後退位置（持ち手前面と仏壇前面１ａとが前後同位置に揃っている）に維持させておくことができるので、手摺装置２を掴まり立ち動作に利用できるようにしたものであっても、手摺装置２の非使用時には持ち手２７が外部からさほど目立たない（仏壇１の美観を損ねない）とともに邪魔にならないという機能もある。
【００５３】
又、この第１実施例の手摺付き仏壇では、手摺装置２に、持ち手２７が仏壇前面１ａから所定小長さＬだけ突出した状態でスライド部材２５の前方へのスライドを禁止するストッパー手段４を設けているので、スライド部材２５（持ち手２７）がストッパー手段４により必要長さ以上（過剰長さ）前方突出することがない。従って、持ち手２７を掴まり立ちに利用しても仏壇が前面側に転倒する危険を防止できるという機能がある。
【００５４】
さらに、この第１実施例の手摺付き仏壇では、ガイド部材２１とスライド部材２５との間に、持ち手２７の前面を１回押すごとに該持ち手２７が仏壇前面１ａに沿う後退位置（格納位置）と該仏壇前面１ａから前方に僅かに突出する掴み可能位置（僅突出位置）との間で変位させ得る出没変位手段５（マグネットキャッチ５１）を設けているので、持ち手２７の前面を押すという簡単な操作で該持ち手２７を上記後退位置（格納位置）と上記掴み可能位置（僅突出位置）とに変位させ得る。尚、持ち手２７を図３の符号２７′で示すように、掴み可能位置（僅突出位置）に位置させていると、スライド部材２５を前方に引き出すときに持ち手２７を手で掴み易くなるので、該スライド部材２５の引き出し作業がし易くなるという機能がある。
【００５５】
［図６の第２実施例］
図６に示す第２実施例の手摺付き仏壇は、手摺装置３を仏壇前面１ａにおける左右に離間した２箇所に設けたものである。
【００５６】
両手摺装置３，３の左右間隔は、定位置（仏壇前部に座った位置）から左右の各手Ｈがそれぞれの持ち手２７，２７に無理なく届く程度の、例えば４０〜５０cm間隔が適当である。
【００５７】
尚、図６に示す第２実施例の各手摺装置２，２の構成は、上記第１実施例（図１〜図５）のものと同じであるので、この第２実施例の各手摺装置２，２の構成及びその説明については、上記第１実施例のものを援用する。
【００５８】
図６の手摺付き仏壇のように、手摺装置２，２を左右２箇所に設けていると、仏壇前部１ａに座っている人が手摺装置２を利用して掴まり立ちする際に、左右の各手（両手）でそれぞれの持ち手２７，２７を押さえることができる。
【００５９】
従って、図６の第２実施例の手摺付き仏壇では、仏壇前部に座っている人（図２参照）が立ち上がるときに、左右の各手（両手）で各持ち手２７，２７を押さえることができるので、バランスの良好な安定姿勢で且つ両手の力で掴まり立ち動作が行えるという機能がある。
【符号の説明】
【００６０】
１は仏壇、２は手摺装置、４はストッパー手段、５は出没変位手段、１１は仏壇本体、１２は基台箱、２１はガイド部材、２５はスライド部材、２７は持ち手、５１はマグネットキャッチである。
【図１】
2016209053.tif 000003
【図２】
2016209053.tif 000004
【図３】
2016209053.tif 000005
【図４】
2016209053.tif 000006
【図５】
2016209053.tif 000007
【図６】
2016209053.tif 000008